(57)【要約】【課題】所定の使用用途において被写体を正確にかつ見やすく撮影することを可能とすることにより多機能化を実現できるカメラ付き携帯機器を提供する。【解決手段】本発明のカメラ付き携帯電話１は、折り畳み可能に連結された第１の筐体２と第２の筐体３とを有し、かつ折り畳んだ状態で第１の筐体２の外側表面２ｂに位置するカメラ部２１を有している。第１の筐体２と第２の筐体３とを開いた状態で、かつ第２の筐体３の外側表面３ｂを載置面５０に載置した状態で、カメラ部２１は載置面５０と同一平面にある被写体（たとえば点Ｐ）に焦点を合わせて接写できるよう構成されている。【選択図】        図５
2004153407.tif 000002
【特許請求の範囲】
【請求項１】
折り畳み可能に連結された第１の筐体と第２の筐体とを有し、かつ折り畳んだ状態で前記第１の筐体の外側表面に位置するカメラを有するカメラ付き携帯機器であって、
前記第１の筐体と前記第２の筐体とを開いた状態で、かつ前記第２の筐体の外側表面を載置面に載置した状態で、前記カメラは前記載置面と同一平面に焦点を合わせて接写できるよう構成されていることを特徴とする、カメラ付き携帯機器。
【請求項２】
前記第１の筐体は前記第２の筐体と連結される一方端と、前記一方端の逆側の他方端とを有し、前記カメラは前記一方端と前記他方端との中央部よりも前記一方端側に位置していることを特徴とする、請求項１に記載のカメラ付き携帯機器。
【請求項３】
前記第１の筐体の前記外側表面に配置された表示部をさらに備え、前記カメラは前記表示部よりも前記第２の筐体との連結部側に位置していることを特徴とする、請求項１または２に記載のカメラ付き携帯機器。
【請求項４】
前記第２の筐体にシャッターボタンが配置されていることを特徴とする、請求項１〜３のいずれかに記載のカメラ付き携帯機器。
【発明の詳細な説明】
【０００１】
【発明の属する技術分野】
本発明は、カメラ付き携帯機器に関し、特に、折り畳み可能に連結された２つの筐体を有し、かつ折り畳んだ状態で一方の筐体の外側表面に位置するカメラを有するカメラ付き携帯機器に関するものである。
【０００２】
【従来の技術】
近年、携帯電話機が広く普及しているが、その形状としてはストレートタイプ、フリップタイプ、クラムシェルタイプの３種類に大きく分類される。中でもクラムシェルタイプは折り畳むことによる小型化ができるため、他の２つのタイプよりニーズが高い。
【０００３】
また最近では、カメラを備えた携帯電話機も市場に出回るようになってきた。このようなカメラ付きの携帯電話機は、たとえば特開２００２−２６２１６４号公報、実用新案登録第３０８５４７６号公報などで提案されている（特許文献１および２参照）。
【０００４】
【特許文献１】
特開２００２−２６２１６４号公報
【０００５】
【特許文献２】
実用新案登録第３０８５４７６号公報
【０００６】
【発明が解決しようとする課題】
しかしながら、これら公報に開示されたカメラ付き携帯電話機では、使用用途によっては、カメラで被写体を正確にかつ見やすく撮影することが困難な場合があった。
【０００７】
それゆえ、本発明の目的は、所定の使用用途において被写体を正確にかつ見やすく撮影することを可能とすることにより多機能化を実現できるカメラ付き携帯機器を提供することである。
【０００８】
【課題を解決するための手段】
本発明のカメラ付き携帯機器は、折り畳み可能に連結された第１の筐体と第２の筐体とを有し、かつ折り畳んだ状態で第１の筐体の外側表面に位置するカメラを有するカメラ付き携帯機器であって、第１の筐体と第２の筐体とを開いた状態で、かつ第２の筐体の外側表面を載置面に載置した状態で、カメラは載置面と同一平面に焦点を合わせて接写できるよう構成されていることを特徴とするものである。
【０００９】
本発明のカメラ付き携帯機器によれば、カメラが載置面と同一平面に焦点を合わせて接写できるよう構成されているため、その載置面に置かれた被写体をカメラで正確に撮影することができ、携帯機器に搭載された表示画面に正確に表示することが可能となる。また、載置面に置かれた被写体を表示画面において拡大して表示することとすれば、携帯機器を拡大鏡（虫眼鏡）として利用することができる。このように載置面に置かれた被写体を正確にかつ見やすく表示することが可能となり、拡大鏡（虫眼鏡）としての機能を追加することができる。
【００１０】
上記のカメラ付き携帯機器において好ましくは、第１の筐体は第２の筐体と連結される一方端と、一方端の逆側の他方端とを有し、カメラは一方端と他方端との中央部よりも一方端側に位置している。
【００１１】
たとえば連結部とは逆側の他方端付近にカメラを配置すると、第１の筐体が第２の筐体に対してぶれたときにカメラ部分におけるぶれが大きくなるが、一方端付近にカメラを配置することによりカメラ部分におけるぶれを小さくでき、ぶれの影響の少ない撮影が可能となる。
【００１２】
上記のカメラ付き携帯機器において好ましくは、第１の筐体の外側表面に配置された表示部がさらに備えられ、カメラは表示部よりも第２の筐体との連結部側に位置している。
【００１３】
このように表示部を第１の筐体の外側表面に配置することができ、かつこの表示部よりもカメラを連結部側に位置させることによりぶれの影響の少ない撮影が可能となる。
【００１４】
上記のカメラ付き携帯機器において好ましくは、第２の筐体にシャッターボタンが配置されている。
【００１５】
第１の筐体にシャッターボタンがあると撮影時にブレが生じるが、第２の筐体にシャッターボタンを配置することにより撮影時のブレを防止することができる。
【００１６】
【発明の実施の形態】
以下、本発明の実施の形態について図に基づいて説明する。
【００１７】
図１は、本発明の一実施の形態に係るカメラ付き携帯機器としてクラムシェルタイプのカメラ付携帯電話機の開いた状態の外観を示す斜視図である。図２は、図１に示された携帯電話機の背面側からの外観を示す斜視図である。図３および図４は、図１に示された携帯電話機を折り畳んだ状態での外観を示す斜視図および側面図である。
【００１８】
図１を参照して、携帯電話機１は、第１の筐体２と第２の筐体３とを有している。第１の筐体２と第２の筐体３とはヒンジ４を介して連結されており、ヒンジ４を軸として角変位自在に動くことで折り畳み可能に構成されている。これにより、携帯電話機１は、図１、図２に示すように開いた状態にでき、また図３、図４に示すように折り畳んだ状態にすることもできる。
【００１９】
携帯電話機１は、折り畳んだ状態で内側に位置する第１の筐体２の内側表面２ａに、メインの表示部５と、スピーカ６とを有している。表示部５は液晶ディスプレイやＥＬ（Ｅｌｅｃｔｒｏ  Ｌｕｍｉｎｅｓｃｅｎｔ）ディスプレイなどで構成され、画像データに基づく画像を表示する部分である。またスピーカ６は表示部５の上部に位置しており、通話時などに相手側の音声を発するものである。
【００２０】
第２の筐体３の内側表面３ａに、数字および文字を入力するためのキーなどから構成される入力ボタン群７と、携帯電話機１における各種設定／機能切替を行うための機能ボタン群８と、通話用のマイク１４とが設けられている。機能ボタン群８は、電源のＯＮ／ＯＦＦ切替を行う電源ボタン９と、カメラモードへ切り替えるためのカメラボタン１０と、後述するカメラ機能、メール機能とガイダンス表示を行うメール／ガイダンス用ボタン１１と、通話開始とスピーカ受話を行う開始／スピーカ受話ボタン１２と、機能選択画面での上下左右選択と決定を行う４方向ボタンと中央の決定ボタン（シャッタボタン）で構成されるマルチガイドボタン１３とをユーザの操作が可能なように有している。
【００２１】
携帯電話機１の第２の筐体３におけるヒンジ４、機能ボタン群８、入力ボタン群７、マイク１４などの配置の順番は図示するように配置するのが普通であるが、これに限定されるものではない。
【００２２】
図２を参照して、折り畳んだ状態で外側に位置する第１の筐体２の外側表面２ｂに、カメラ部２１と、ライト部２２と、サブの表示部２０と、ボタン群２４とが設けられている。ボタン群２４は、シャッタボタン２３および操作ボタン２４ａ、２４ｂを有している。
【００２３】
表示部２０は、液晶ディスプレイやＥＬディスプレイなどで構成される。ここでは表示部２０の表示可能領域は表示部５よりも小さいとしているが、大きくてもよく、また同じ大きさであってもよい。表示部２０には撮影による画像データ、ならびに時刻、電波強度およびメール受信などを報知するためのキャラクタ画像のデータに基づく画像が表示される。
【００２４】
カメラ部２１は撮影レンズ、ＣＣＤ（Ｃｈａｒｇｅ−Ｃｏｕｐｌｅｄ  Ｄｅｖｉｃｅ）イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどの撮影素子およびＲＧＢの３色のカラーフィルタを備える。カメラ部２１は被写体で反射されて撮影レンズに入射した光を、カラーフィルタを通してＲＧＢの３色光に変換し、ＲＧＢの３色光はそれぞれＣＣＤに入射する。
【００２５】
ライト部２２は、カメラ部２１で撮影する際の補助光源として使われる。一般的に補助光源にはキセノン管を用いるものが多いが、最近ではＲＧＢのＬＥＤ（ｌｉｇｈｔ  Ｅｍｉｔｔｉｎｇ  Ｄｉｏｄｅ）が用いられる。これらＬＥＤを同時発光させて、白色光の照明を得ることができる。
【００２６】
シャッタボタン２３は、第１の筐体２の表示部５の背面中央に配置されて、かつ図３および図４に示すように携帯電話機１を折り畳んだ状態では表示部２０の下側に位置している。この位置にシャッタボタン２３を配置することにより、ユーザは折り畳んだ状態で簡単にシャッタボタン２３の位置を確認し、容易にシャッタ操作することができる。
【００２７】
シャッタボタン２３の両横には、表示部２０の表示情報を確認しながら各種のデータ設定または操作を行うための操作ボタン２４ａと２４ｂが設けられている。操作ボタン２４ａと２４ｂは、表示部２０における情報の表示と連動して、各種機能設定、アドレス帳の表示または検索、メールの確認、表示および発信などをするために操作される。また、操作ボタン２４ａと２４ｂを操作することにより撮影時のズームインまたはズームアウト動作や複数の画像を順送りしながらの表示または逆送りしながらの表示の動作などを行なわせることができる。
【００２８】
第２の筐体３の外側表面３ｂに、アンテナ部２５と、昇降可能なヘリカル部２６と、バッテリを格納するバッテリ部２７と、着信音を鳴らすためのスピーカ２８とが設けられている。
【００２９】
本実施の形態において特に注目すべき点は、図５に示すように携帯電話機１を開いた状態で、かつ第２の筐体３の外側表面３ｂを載置面５０に載置した状態で、カメラ部２１は載置面５０と同一平面にある被写体（たとえば点Ｐ）に焦点を合わせて接写できるよう構成されていることである。また、カメラ部２１で撮影した被写体の画像は表示部５に拡大して表示できることが好ましい。
【００３０】
このようにカメラ部２１が載置面５０と同一平面に焦点を合わせて接写できるよう構成されているため、その載置面５０に置かれた被写体をカメラ部２１で正確に撮影することができ、携帯電話機１に搭載された表示部５に正確に表示することが可能となる。また、載置面５０に置かれた被写体を表示部５において拡大して表示することとすれば、携帯電話機１を拡大鏡（虫眼鏡）として利用することができる。つまり、載置面５０に置かれた紙類に記された小さな文字、絵柄などを、表示部５の画面上で大きな文字、絵柄などとして見ることができるとともに、小さな文字、絵柄などに焦点を合わせて撮影することで表示部５の画面上に大きな文字、絵柄などをはっきりと表示することができるため、目の悪い人なども文字、絵柄などを明確に認識することが可能となる。
【００３１】
図６を参照して、第１の筐体２は、第２の筐体３と連結される一方端２ｃと、その一方端２ｃの逆側の他方端２ｄとを有し、カメラ部２１は一方端２ｃと他方端２ｄとの中央部Ｃ−Ｃ（つまり一方端２ｃからの距離Ｌ１と他方端２ｄからの距離Ｌ２とが等しくなる位置）よりも一方端２ｃ側に位置していることが好ましい。
【００３２】
図５に示すように仮にヒンジ４を中心として第１の筐体２が矢印Ｂ方向に第２の筐体３に対してぶれた場合、ヒンジ４とは逆側の他方端２ｄ付近にカメラ部２１を配置していると、カメラ部２１におけるぶれが大きくなる。これに対して、一方端２ｃ付近にカメラ部２１を配置すれば、上記のように第１の筐体２が矢印Ｂ方向にぶれても、カメラ部２１におけるぶれを小さくすることができ、ぶれの影響の少ない撮影が可能となる。特に本実施の形態のように極めて近い位置にある被写体を撮影する場合には、小さなぶれによっても撮影画像にぶれの影響が顕著に生じるため、このようにカメラ部２１をなるべくヒンジ側に配置することはぶれの影響を極力排除するうえで非常に有効である。
【００３３】
また、第１の筐体２の外側表面２ｂに配置された表示部２０を有する場合には、カメラ部２１は表示部２０よりも第２の筐体３との連結部側（つまり一方端２ｃ側）に位置していることが好ましい。
【００３４】
上記のようにカメラ部２１をなるべくヒンジ４側に配置することにより、第１の筐体２の外側表面２ｂの中央部付近（中央線Ｃ−Ｃ付近）にサブの表示部２０を配置するよう設計することが容易になり、サブの表示部２０の大型化も容易になり、さらにボタン群２４の配置設計も容易となる。
【００３５】
次に、本実施の形態の携帯電話機１のカメラ部２１を用いた被写体の撮影について図７〜図９を用いて説明する。
【００３６】
図７に示す被写体３０を撮影する場合の一般的な利用方法では、ユーザは携帯電話機１を開き、カメラ部２１を被写体３０に向けて撮影し、表示部５をファインダとして利用する。シャッタ操作のためにはマルチガイドボタン１３の中央の決定ボタンを使用するが、第１の筐体２の背面に備えたシャッタボタン２３を使用することも可能である。
【００３７】
図８にはユーザがカメラ部２１を用いてユーザ自身を撮影する場合の一般的な利用方法が示される。この場合、ユーザは表示部２０をファインダとして利用することにより、撮影されたユーザ自身の画像を確認しながらシャッタボタン２３を押下することによりシャッタ操作することができる。
【００３８】
一般的な携帯電話機では、表示部２０で画像を表示する際には、画像確認時の違和感をなくすため、画像を左右反転させて鏡に映した像のように表示することが多いが、それに限定されるものではない。なお、携帯電話機１では、折り畳んだ状態でユーザ自身を撮影できるので使い勝手が良い。なお、ユーザ自身の撮影は携帯電話機１を折り畳んだ状態で使用する形態に限定されず、開いた状態で撮影することもできる。
【００３９】
図９にはユーザが携帯電話機１を拡大鏡（虫眼鏡）として用いる場合の利用方法が示される。この場合、ユーザは、机などの上に携帯電話機１の第２の筐体３の外側表面を置いて、第１の筐体２の外側表面２ｂに配置されたカメラ部２１で机上の被写体を写して表示部５に表示（拡大表示など）させて被写体を認識する。
【００４０】
なお、カメラによる通常撮影と接写撮影との切り替えは、図６に示すカメラ部２１の外周リング２１ａを廻すことにより行われる。具体的には、外周リング２１ａを廻すことにより、図１０に示すように外周リング２１ａと連動させているカメラモジュールのマクロ／標準切換ノブを廻し、それによりレンズが動き焦点距離が変わることにより接写と通常撮影との切換が行われる。
【００４１】
また、本実施の形態においては、携帯機器として携帯電話機について説明したが、本発明はこれに限定されるものではなく、カメラ付きの携帯用情報端末（ＰＤＡ：ｐｅｒｓｏｎａｌ  ｄａｔａ  ａｓｓｉｓｔａｎｔ）、カメラ付きのノート型のパーソナルコンピュータなどの携帯機器に広く適用され得る。
【００４２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４３】
【発明の効果】
以上説明したように本発明のカメラ付き携帯機器によれば、カメラが載置面と同一平面に焦点を合わせて接写できるよう構成されているため、その載置面に置かれた被写体をカメラで正確に撮影することができ、携帯機器に搭載された表示画面に正確に表示することが可能となる。また、載置面に置かれた被写体を表示画面において拡大して表示することとすれば、携帯機器を拡大鏡（虫眼鏡）として利用することができる。このように載置面に置かれた被写体を正確にかつ見やすく表示することが可能となり、拡大鏡（虫眼鏡）としての機能を追加することができる。
【図面の簡単な説明】
【図１】本発明の一実施の形態に係るカメラ付き携帯機器としてクラムシェルタイプのカメラ付携帯電話機の開いた状態の外観を示す斜視図である。
【図２】図１に示された携帯電話機の背面側からの外観を示す斜視図である。
【図３】図１に示された携帯電話機を折り畳んだ状態での外観を示す斜視図である。
【図４】図１に示された携帯電話機を折り畳んだ状態での外観を示す側面図である。
【図５】カメラ部の接写を説明するための側面図である。
【図６】カメラ部の配置位置を説明するための平面図である。
【図７】携帯電話機のカメラ部を用いて被写体の撮影を行なう第１の利用方法を示す図である。
【図８】携帯電話機のカメラ部を用いて被写体の撮影を行なう第２の利用方法を示す図である。
【図９】携帯電話機のカメラ部を用いて被写体の撮影を行なう第３の利用方法を示す図である。
【図１０】外周リングとカメラモジュールとを説明するための平面図である。
【符号の説明】
１  携帯電話機、２  第１の筐体、２ａ  内側表面、２ｂ  外側表面、２ｃ  一方端、２ｄ  他方端、３  第２の筐体、３ａ  内側表面、３ｂ  外側表面、４ヒンジ、５  表示部、６  スピーカ、７  入力ボタン群、８  機能ボタン群、９  電源ボタン、１０  シャッタボタン、１１  ガイダンス用ボタン、１２  スピーカ受話ボタン、１３  マルチガイドボタン、１４  マイク、２０  表示部、２１  カメラ部、２１ａ  外周リング、２２  ライト部、２３  シャッタボタン、２４  ボタン群、２４ａ  操作ボタン、２５  アンテナ部、２６  ヘリカル部、２７  バッテリ部、２８  スピーカ、３０  被写体、５０  載置面。
【図１】
2004153407.tif 000003
【図２】
2004153407.tif 000004
【図３】
2004153407.tif 000005
【図４】
2004153407.tif 000006
【図５】
2004153407.tif 000007
【図６】
2004153407.tif 000008
【図７】
2004153407.tif 000009
【図８】
2004153407.tif 000010
【図９】
2004153407.tif 000011
【図１０】
2004153407.tif 000012